(57)【要約】【課題】缶製品の凹み防止機能をより向上させることができる包装箱を提供する。【解決手段】缶製品を包装する包装箱１は、矩形状の底板２と、底板２の側縁から起立する短手側板４とを備える。短手側板４の上縁には、肩部１１を介して折り返される短手側折返板１２が連設されている。短手側折返板１２には、缶製品を収容したときに、缶製品の側面であって、蓋側の端部と、底側の端部とに当接し、缶製品の側面の中央部と非接触となることにより、缶製品の側面中央部と短手側板４との間に隙間を形成する切欠部１３を備える。【選択図】図１
2015051806.tif 000002
【特許請求の範囲】
【請求項１】
缶製品を包装する包装箱であって、
矩形状の底板と、
前記底板の側縁から起立する側板とを備え、
前記缶製品を収容したときに、前記缶製品の側面であって、蓋側の端部と、底側の端部とに当接し、前記缶製品の側面の中央部と、前記底板または前記側板との間に隙間を形成する緩衝部を備えることを特徴とする包装箱。
【請求項２】
請求項１記載の包装箱であって、
前記緩衝部は、前記缶製品の側面側に位置する前記側板の上縁に連設されて折り返される折返板であり、
該折返板には、前記缶製品の側面の中央部と前記折返板とが非接触となるように切り欠かれた切欠部が設けられ、
該切欠部により、前記折返板が、前記缶製品の側面であって、蓋側の端部と、底側の端部とに当接し、前記缶製品の側面の中央部と前記側板との間に隙間を形成することを特徴とする包装箱。
【請求項３】
請求項１又は請求項２に記載の包装箱であって、
前記緩衝部は、前記缶製品の蓋側の端部または底側の端部と対向するように位置する前記側板の上縁に連設されて折り返される折返板に設けられ、前記底板に沿うように折り曲げて前記缶製品の側面の蓋側の端部または底側の端部と当接する側板側枕部を備えることを特徴とする包装箱。
【請求項４】
請求項３に記載の包装箱であって、
隣接する前記缶製品同士の端部の間に配置される仕切板を備え、
該仕切板には、前記底板に沿うように折り曲げて前記缶製品の側面の蓋側の端部又は底側の端部と当接する仕切板側枕部が設けられることを特徴とする包装箱。
【請求項５】
請求項１記載の包装箱であって、
前記緩衝部は、前記缶製品の側面側に位置する前記側板に重ね合わせて配置される内板であり、
該内板には、前記缶製品の側面の中央部と前記内板とが非接触となるように切り欠かれた切欠部が設けられ、
該切欠部により、前記内板が、前記缶製品の側面であって、蓋側の端部と、底側の端部とに当接し、前記缶製品の側面の中央部と前記側板との間に隙間を形成することを特徴とする包装箱。
【請求項６】
請求項１又は請求項２又は請求項５に記載の包装箱であって、
前記緩衝部は、前記底板の上に敷かれる敷板であり、
該敷板には、前記缶製品の側面の中央部と前記敷板とが非接触となるように切り欠かれた敷板孔が設けられ、
該敷板孔により、前記敷板が、前記缶製品の側面であって、蓋側の端部と、底側の端部とに当接し、前記缶製品の側面の中央部と前記底板との間に隙間を形成することを特徴とする包装箱。
【発明の詳細な説明】
【技術分野】
【０００１】
本発明は、円筒状の缶製品を包装する包装箱に関する。
【背景技術】
【０００２】
従来、贈答用の飲料缶などの円筒状の缶製品が収容された包装箱が知られている（例えば、特許文献１参照）。この包装箱は、底板から起立する側板の上端に連設され、内側に折り返される折返板が設けられている。このようにして包装箱の側壁を側板と折返板とで二重構造とすることにより、外部からの衝撃により缶製品が凹んでしまうことを抑制している。
【先行技術文献】
【特許文献】
【０００３】
【特許文献１】特開平１０‐０３５６４８号公報
【発明の概要】
【発明が解決しようとする課題】
【０００４】
本発明は、円筒状の缶製品の凹み防止機能をより向上させることができる包装箱を提供することを目的とする。
【課題を解決するための手段】
【０００５】
上記目的を達成するため、本発明は、缶製品を包装する包装箱であって、矩形状の底板と、前記底板の側縁から起立する側板とを備え、前記缶製品を収容したときに、前記缶製品の側面であって、蓋側の端部と、底側の端部とに当接し、前記缶製品の側面の中央部と、前記底板または前記側板との間に隙間を形成する緩衝部を備えることを特徴とする。
【０００６】
缶製品は、蓋側及び底側の端部は比較的強度が高く変形し難い。これに対して、缶製品の側面中央部は、蓋側及び底側の端部と比較して強度が低く変形し易い。特に、２ピース缶においては、有底筒状部材を製造する工程において側面中央部が薄くなり易く、缶製品の側面中央部は、３ピース缶と比較して、更に変形し易い。なお、２ピース缶とは、有底筒状部材とその開口部を閉塞する蓋部材の２部材からなる缶製品と定義する。また、３ピース缶とは、両端が開口する両端開口型筒状部材とその両端開口部を閉塞する２つの蓋部材の３部材からなる缶製品と定義する。
【０００７】
本発明の包装箱によれば、外部から衝撃を受けても、緩衝部により、衝撃は、缶製品の蓋側又は底側の端部に伝達されるが、缶製品の側面中央部と側板又は底板との間には隙間が形成されるため、衝撃が伝達され難い。これにより、本発明の包装箱によれば、缶製品の凹み防止機能をより向上させることができる。
【０００８】
本発明の具体的態様としては、緩衝部を缶製品の側面側に位置する側板の上縁に連設されて折り返される折返板で構成することができ、この折返板に、缶製品の側面の中央部と折返板とが非接触となるように切り欠かれた切欠部を設け、切欠部により、折返板が、缶製品の側面であって、蓋側の端部と、底側の端部とに当接し、缶製品の側面の中央部と側板との間に隙間を形成するように構成することができる。
【０００９】
かかる構成によれば、側面方向から外力が包装箱に加わっても、緩衝部としての切欠部を備える折返板で、缶製品の側面中央部に衝撃を伝達させることなく、比較的変形し難い缶製品の両端部で衝撃を受けることができる。これにより、本発明の包装箱によれば、缶製品の凹み防止機能をより向上させることができる。
【００１０】
本発明の他の具体的態様としては、緩衝部を、缶製品の蓋側の端部または底側の端部と対向するように位置する側板の上縁に連設されて折り返される折返板に設けられ、底板に沿うように折り曲げて缶製品の側面の蓋側の端部または底側の端部と当接する側板側枕部で構成することができる。
【００１１】
かかる構成によれば、缶製品の蓋側及び底側の端部を側板側枕部で支えることができる。これにより、外部から衝撃をうけても、緩衝部としての側板側枕部により、衝撃は、缶製品の蓋側又は底側の端部に伝達されるが、缶製品の側面中央部と底板との間には隙間が形成されるため、衝撃が伝達され難い。これにより、本発明の包装箱によれば、缶製品の凹み防止機能をより向上させることができる。
【００１２】
また、本発明においては、隣接する缶製品同士の端部の間に配置される仕切板を設ける場合には、仕切り板に、底板に沿うように折り曲げて缶製品の側面の蓋側の端部又は底側の端部と当接する仕切板側枕部を設けることができる。
【００１３】
かかる構成によれば、缶製品の蓋側及び底側の端部を仕切板側枕部で支えることができる。これにより、外部から衝撃をうけても、緩衝部としての仕切板側枕部により、衝撃は、缶製品の蓋側又は底側の端部に伝達されるが、缶製品の側面中央部と底板との間には隙間が形成されるため、衝撃が伝達され難い。これにより、本発明の包装箱によれば、缶製品の凹み防止機能をより向上させることができる。
【００１４】
また、本発明の他の具体的態様としては、緩衝部を缶製品の側面側に位置する側板に重ね合わせて配置される内板で構成することができ、この内板に、缶製品の側面の中央部と内板とが非接触となるように切り欠かれた切欠部を設け、切欠部により、内板が、缶製品の側面であって、蓋側の端部と、底側の端部とに当接し、缶製品の側面の中央部と側板との間に隙間を形成するように構成することができる。
【００１５】
かかる構成によれば、側面方向から外力が包装箱に加わっても、緩衝部としての切欠部を備える内板で、缶製品の側面中央部に衝撃を伝達させることなく、比較的変形し難い缶製品の両端部で衝撃を受けることができる。これにより、本発明の包装箱によれば、缶製品の凹み防止機能をより向上させることができる。
【００１６】
また、本発明の他の具体的態様としては、緩衝部を底板の上に敷かれる敷板で構成することができ、この敷板に、缶製品の側面の中央部と敷板とが非接触となるように切り欠かれた敷板孔を設け、敷板孔により、敷板が、缶製品の側面であって、蓋側の端部と、底側の端部とに当接し、缶製品の側面の中央部と底板との間に隙間を形成するように構成することができる。
【００１７】
かかる構成によれば、外部から衝撃が包装箱に加わっても、緩衝部としての敷板孔を備える敷板で、缶製品の側面中央部に衝撃を伝達させることなく、比較的変形し難い缶製品の両端部で衝撃を受けることができる。これにより、本発明の包装箱によれば、缶製品の凹み防止機能をより向上させることができる。
【図面の簡単な説明】
【００１８】
【図１】本発明の包装箱の第１実施形態を示す斜視図。
【図２】第１実施形態の包装箱を展開した状態で示す展開図。
【図３】第１実施形態の仕切板を展開した状態で示す展開図。
【図４】第１実施形態の包装箱を組み立てるときの側板側枕部を有する折返板を折り返す組立工程を示す説明図。
【図５】第１実施形態の包装箱を組み立てるときの緩衝部としての切欠部を有する折返板を折り返す組立工程を示す説明図。
【図６】第１実施形態の仕切板を折り曲げて組み付ける組立工程を示す説明図。
【図７】第１実施形態の包装箱が缶製品を収容したときの、緩衝部としての切欠部を有する折返板と缶製品との関係を示す断面図。
【図８】第１実施形態の包装箱が缶製品を収容したときの、緩衝部としての側板側枕部及び仕切板側枕部と缶製品との関係を示す断面図。
【図９】本発明の包装箱の第２実施形態の斜視図。
【図１０】第２実施形態の包装箱の一部を示す断面図。
【図１１】第２実施形態の包装箱の組み立て説明図。
【図１２】本発明の包装箱の第３実施形態の斜視図。
【図１３】第３実施形態の包装箱の一部を示す断面図。
【発明を実施するための形態】
【００１９】
［第１実施形態］
図１から図８を参照して、本発明の第１実施形態の段ボール製の包装箱１を説明する。
【００２０】
図１に示すように、第１実施形態の包装箱１は、飲料用缶製品を円筒状の側面を互いに当接させるようにして、２列で収容して包装するものであり、矩形状（長方形状）の底板２と、底板２の四辺から折目線Ｌ１を介して垂直に起立する一対の長手側板３、及び一対の短手側板４と、隣接する缶製品同士の端部の間に配置される仕切板５とを備える。図２に第１実施形態の包装箱１の展開図を示す。また、図３に仕切板５の展開図を示す。
【００２１】
図４に示すように、第１実施形態の包装箱１を組み立てるには、まず、一対の短手側板４を垂直に起立させる。図２に示すように、短手側板４の側縁には、折目線Ｌ２を介して短手側舌片６が連設されている。この短手側舌片６を折目線Ｌ２を介して内方へ直角に折り曲げる。
【００２２】
次に、図４に示すように、長手側板３を短手側舌片６の外面に沿うように折目線Ｌ１を介して垂直に起立させる。長手側板３の先端には、折目線Ｌ３を介して、段ボールの厚さよりも長い幅に設定された肩部７が連設されている。
【００２３】
肩部７の先端には、折目線Ｌ４を介して、長手側折返板８が連設されている。長手側折返板８の先端には、折目線Ｌ５を介して、側板側枕部９が連設されている。長手側折返板８の側縁には、折目線Ｌ６を介して、長手側舌片１０が連設されている。
【００２４】
そして、図５に示すように、肩部７を長手側板３に対して直角となるように折目線Ｌ３を介して内方へ折り曲げる。また、長手側折返板８を、折目線Ｌ４を介して、肩部７に対して垂直となるように下方に折り返す。このとき、短手側舌片６が長手側板３と長手側折返板８との間に挟まれる。これにより、短手側板４が外方へ倒れようとしても、短手側舌片６の上縁が肩部７に当接する。従って、短手側板４の外方へ倒れることを防止することができる。
【００２５】
図２及び図５を参照して、短手側板４の上縁には、折目線Ｌ７を介して、肩部１１が連設されている。肩部１１の先端には、折目線Ｌ８を介して、短手側折返板１２が連設されている。短手側折返板１２の中央には、先端から基端へ延びるように切り欠かれた差込孔１２ａが設けられている。
【００２６】
短手側折返板１２には、差込孔１２ａを挟むようにして、切り欠かれて孔を構成する２つの切欠部１３が設けられている。この切欠部１３は、収容される缶製品の側面中央部が短手側折返板１２と非接触となるように形成されている。短手側折返板１２の両端縁は、先方に向かって幅が広くなるように形成されて、幅広な先端部１２ｂが設けられている。また、折り返された長手側折返板８の両側縁下方部には、短手側折返板１２の幅広な先端部１２ｂを受け入れる受入孔８ａが設けられている。
【００２７】
そして、短手側板４に対して直角となるように内側に肩部１１を折り曲げる。そして、肩部１１に対して直角となるように短手側折返板１２を下方へ折り曲げる。このとき、幅広な先端部１２ｂが受入孔８ａに差し込まれて固定されることにより、短手側折返板１２が自己の復元力により、上方へ浮き上がろうとすることを防止できる。なお、図４では、一方の肩部１１及び短手側折返板１２のみを示し、他方の肩部１１及び短手側折返板１２は省略している。
【００２８】
仕切板５は、一対の仕切本体１４と、仕切本体１４同士を上縁で折目線Ｌ９を介して連結する連結部１５と、仕切本体１４の下端縁に折目線Ｌ１０を介して連設される仕切板側枕部１６とで構成される。仕切本体１４の両端には、短手側折返板１２の差込孔１２ａに対応させて突片１４ａが設けられている。
【００２９】
図６に示すように、仕切板５は、一対の仕切本体１４を連結部１５に対して直角となるように下方へ折り曲げ、仕切板側枕部１６を仕切本体１４に対して直角となるように折目線Ｌ１０に沿って外方へ折り曲げることにより組み立てられる。
【００３０】
組み立てられた仕切板５は、突片１４ａを差込孔１２ａに差し込んで底板２上に取り付けられる。また、仕切板５は、短手側折返板１２が自己の復元力により持ち上がろうとすることを抑えるつっかい棒としての役割も果たしている。
【００３１】
このようにして、図１に示す第１実施形態の包装箱１が組み立てられる。
【００３２】
ここで、第１実施形態の包装箱１に収容される缶製品は、一般的に、蓋側及び底側の端部は比較的強度が高く変形し難い。これに対して、缶製品の側面中央部は、蓋側及び底側の端部と比較して強度が低く変形し易い。特に、２ピース缶においては、有底筒状部材を製造する工程において側面中央部が薄くなり易く、缶製品の側面中央部は、３ピース缶と比較して、更に変形し易い。
【００３３】
なお、実施形態の説明において、２ピース缶とは、有底筒状部材とその開口部を閉塞する蓋部材の２部材からなる缶製品と定義する。また、３ピース缶とは、両端が開口する両端開口型筒状部材とその両端開口部を閉塞する２つの蓋部材の３部材からなる缶製品と定義する。
【００３４】
図７に一部断面で示すように、第１実施形態の包装箱１によれば、外部側面方向から衝撃を受けても、切欠部１３が設けられた短手側折返板１２が緩衝部として機能することにより、衝撃は、缶製品Ａの蓋側又は底側の端部に伝達されるが、缶製品Ａの側面中央部と短手側板４との間には隙間が形成されるため、衝撃が缶製品Ａの側面中央部に伝達され難い。これにより、第１実施形態の包装箱１によれば、缶製品Ａの凹み防止機能を従来よりも向上させることができる。
【００３５】
また、図８に一部断面で示すように、第１実施形態の包装箱１によれば、外部底面方向から衝撃を受けても側板側枕部９及び仕切板側枕部１６が緩衝部として機能することにより、衝撃は、缶製品Ａの蓋側又は底側の端部に伝達されるが、缶製品Ａの側面中央部と底板２との間には隙間が形成されるため、衝撃が缶製品Ａの側面中央部に伝達され難い。これにより、第１実施形態の包装箱によれば、缶製品Ａの凹み防止機能を従来よりも向上させることができる。
【００３６】
なお、第１実施形態の包装箱１においては、図８に示すように、長手側板３が缶製品Ａの蓋側の端部と対向しており、反対側では、長手側板３が缶製品Ａの底側の端部と対向している。即ち第１実施形態の包装箱１では、長手側板３が、本発明の「缶製品の蓋側又は底側の端部と対応するように位置する側板」に該当するものである。
【００３７】
［第２実施形態］
次に、図９〜図１１を参照して、第２実施形態の包装箱１を説明する。図９に示す第２実施形態の包装箱１は、短手側折返板１２に切欠部１３が設けられておらず、短手側折返板１２の内面に沿うようにして切欠部１３を有する別体の緩衝部１７が設けられている点を除き、第１実施形態の包装箱１と同一に構成される。
【００３８】
第２実施形態の緩衝部１７は、内板１８と、外板１９と、内板１８と外板１９とを上縁で折目線Ｌ１１，Ｌ１２を介して連結する連結部２０とで構成される。内板１８には、収容される缶製品の側面中央部と非接触となるように切欠部１３が互いに間隔を存して２つ設けられている。また、内板１８には、短手側折返板１２の差込孔１２ａに対応させて差込孔１８ａが設けられている。差込孔１８ａは、切欠部１３の間に位置している。また、外板１９にも、差込孔１２ａ，１８ａに対応させて差込孔１９ａが設けられている。
【００３９】
図１０に示すように、緩衝部１７は、内板１８と外板１９とを連結部２０に対して直角となるように折目線Ｌ１１，Ｌ１２に沿って下方へ折り曲げることにより組み立てられる。そして、内板１８が内側に位置し外板１９が短手側折返板１２と向かい合うように、短手側折返板１２に沿わせて配置させる。
【００４０】
そして、仕切板５の突片１４ａを差込孔１８ａ，１９ａ，１２ａに差し込んで仕切板５を取り付けることにより第２実施形態の包装箱１が完成する。
【００４１】
図１１に一部断面で示すように、第２実施形態の包装箱１によれば、第１実施形態の包装箱１と同様に、外部側面方向からの外力によって衝撃を受けても、切欠部１３が設けられた内板１８が緩衝機能を発揮することにより、衝撃は、比較的強度の高い缶製品Ａの蓋側又は底側の端部に伝達されるが、比較的強度の低い缶製品Ａの側面中央部と外板１９との間には隙間が形成されるため、衝撃が缶製品Ａの側面中央部に伝達され難い。これにより、第２実施形態の包装箱１によっても、缶製品Ａの凹み防止機能を従来よりも向上させることができる。
【００４２】
また、第２実施形態の包装箱１によれば、第１実施形態のものと比較して全体的には部品点数が増加するものの、従来の包装箱に緩衝部１７を取り付けるだけで済むため、包装箱１の製造工程を大幅に変更することなく、本発明の包装箱を製造することができる。
【００４３】
なお、第２実施形態においては、緩衝部１７を内板１８と外板１９と連結部２０とで構成したものを説明した。しかしながら、本発明の緩衝部は、段ボールの打ち抜き縁が露出してしまうものの、内板１８だけで構成し、外板１９と連結部２０は省略してもよい。かかる構成によっても、包装箱の缶製品凹み防止機能を向上させるという本発明の作用効果を得ることができる。
【００４４】
［第３実施形態］
次に、図１２及び図１３を参照して、第３実施形態の包装箱１を説明する。図１２に示す第３実施形態の包装箱１は、長手側折返板８に側板側枕部９が設けられておらず、仕切板５に仕切板側枕部１６が設けられておらず、また、底板２の上に敷板２１が敷かれている点を除き、第１実施形態の包装箱１と同一に構成される。なお、第１実施形態及び第２実施形態の包装箱１と同一の構成は同一の符号を付して説明を省略する。また図１２では、敷板２１を底板２の上に敷く前の分離した状態で包装箱１を示している。
【００４５】
図１３に断面で示すように敷板２１には、包装箱１内に収容される缶製品Ａの側面中央部に位置させて、敷板孔２２が形成されている。
【００４６】
第３実施形態の包装箱１によれば、第１実施形態及び第２実施形態の包装箱１と同様に、外部から衝撃を受けても、敷板孔２２が設けられた敷板２１が緩衝機能を発揮することにより、衝撃は、比較的強度の高い缶製品Ａの蓋側又は底側の端部に伝達されるが、比較的強度の低い缶製品Ａの側面中央部と底板２との間には隙間が形成されるため、衝撃が缶製品Ａの側面中央部に伝達され難い。これにより、第３実施形態の包装箱１によっても、缶製品Ａの凹み防止機能を従来よりも向上させることができる。第３実施形態の包装箱１では、敷板２１も本発明の緩衝部に該当する。
【符号の説明】
【００４７】
１  包装箱
２  底板
３  長手側板
４  短手側板
５  仕切板
６  短手側舌片
７  肩部
８  長手側折返板
８ａ  受入孔
９  側板側枕部
１０  長手側舌片
１１  肩部
１２  短手側折返板
１２ａ  差込孔
１２ｂ  先端部
１３  切欠部
１４  仕切本体
１４ａ  突片
１５  連結部
１６  仕切板側枕部
１７  緩衝部
１８  内板
１８ａ  差込孔
１９  外板
１９ａ  差込孔
２０  連結部
２１  敷板
２２  敷板孔
Ｌ１〜Ｌ１２  折目線
Ａ  缶製品
【図１】
2015051806.tif 000003
【図２】
2015051806.tif 000004
【図３】
2015051806.tif 000005
【図４】
2015051806.tif 000006
【図５】
2015051806.tif 000007
【図６】
2015051806.tif 000008
【図７】
2015051806.tif 000009
【図８】
2015051806.tif 000010
【図９】
2015051806.tif 000011
【図１０】
2015051806.tif 000012
【図１１】
2015051806.tif 000013
【図１２】
2015051806.tif 000014
【図１３】
2015051806.tif 000015